(57)【特許請求の範囲】
【請求項１】
隣接する縦横二辺に基準巾Ｗの低段部を形成した基準パネルＡと、上記横低段部の巾をＷ／２よりも小さいδ1 だけ縮小してＷ−δ1 とし、対向する横辺に巾δ1 の低段部を形成した変形パネルＢと、上記縦低段部の巾をＷ／２よりも小さいδ2 だけ縮小してＷ−δ2 とし、対向する縦辺に巾δ2 の低段部を形成した変形パネルＣと、上記横低段部の巾をＷ／２よりも小さいδ3 だけ縮小してＷ−δ3 とし、対向する横辺に巾δ3 の低段部を形成し、かつ上記縦低段部の巾をＷ／２よりも小さいδ4 だけ縮小してＷ−δ4 とし、対向する縦辺に巾δ4 の低段部を形成した変形パネルＤとを準備し、上記四種類のパネルの全種類を複数個ランダムに選んで縦横ｍ行ｎ列に配列して基本ブロックとし、該基本ブロックの複数個を縦横に配列して各パネルの低段部によって目地溝を縦横に形成配列した模様を有することを特徴とする建築板
【請求項２】
該低段部の巾δ1,δ2,δ3,δ4 は等しくδ＜Ｗ／２に設定されている請求項１に記載の建築板
【請求項３】
該パネルは縦横ｍ行ｎ列に配列されており、ｍは１２以下でありかつｍ＋ｎは４以上である請求項１または２に記載の建築板
【請求項４】
各行各列において、目地溝の巾の合計は一定にされている請求項１〜３に記載の建築板
【請求項５】
前記四種類のパネルＡ，Ｂ，Ｃ，Ｄのうちの１つが基本ブロックの４隅部分全てに配置されている請求項１または２に記載の建築板
【発明の詳細な説明】
【０００１】
【発明の属する技術分野】
本発明は例えばタイル、レンガ調のような目地溝を有する外壁材等に使用される建築板に関するものである。
【０００２】
【従来の技術】
従来から外壁材等の建築板の表面には縦横に整然と目地溝を配列したタイル、レンガ調に模した模様が形成されているものが多い。一般にこの目地溝は縦横に直線状に配列され、したがって該模様はゴバン目状になっている。
このようなゴバン目状の模様にあっては、板と板との接合部分にも直線状の目地溝を配置し、該目地溝を正確に合わせる必要があり、そのために建築板をカットする際に目地溝が合致するようにカットする必要があり、高いカツト精度が要求され、建築板生産工程が煩雑で手間のかゝるものとなり、生産性が悪くなっていた。
更に直線状のゴバン目状の模様にあってはあまりにも単調で規則的過ぎて面白味のない外観となっていた。
しかし、建築板のカット精度を高くする必要がなく、またある程度模様にランダム性を与えて外観に面白味を与えるためには、縦横の目地溝の配列を直線状でなくずらすことが考えられるが、大きくずらし過ぎると縦横の目地溝が連通状態ではなくなってしまい、かえって外観が見苦しくなってしまう。
【０００３】
【発明が解決しようとする課題】
本発明は目地溝を見苦しくない程度に適度にずらしておくことによって建築板のカット精度を高くする必要がないようにし、かつ模様に適度なランダム性を与えて面白味のある外観を簡単な設計手段で提供することを課題とする。
【０００４】
【課題を解決するための手段】
本発明は上記従来の課題を解決するための手段として、隣接する縦横二辺に基準巾Ｗの低段部ＨＳ，ＶＳを形成した基準パネルＡと、上記横低段部ＨＳ1 の巾をＷ／２よりも小さいδ1 だけ縮小してＷ−δ1 とし、対向する横辺に巾δ1 の低段部ＨＳ2 を形成した変形パネルＢと、上記縦低段部ＶＳ1 の巾をＷ／２よりも小さいδ2 だけ縮小してＷ−δ2 とし、対向する縦辺に巾δ2 の低段部ＶＳ2 を形成した変形パネルＣと、上記横低段部ＨＳ2 の巾をＷ／２よりも小さいδ3 だけ縮小してＷ−δ3 とし、対向する横辺に巾δ3 の低段部ＨＳ3 を形成し、かつ上記縦低段部ＶＳ3 の巾をＷ／２よりも小さいδ4 だけ縮小してＷ−δ4 とし、対向する縦辺に巾δ4 の低段部ＶＳ4 を形成した変形パネルＤとを準備し、上記四種類のパネルの全種類を複数個ランダムに選んで縦横ｍ行ｎ列に配列して基本ブロックＢＬとし、該基本ブロックＢＬの複数個を縦横に配列して各パネルの低段部ＨＳ，ＶＳによって目地溝ＶＧ，ＨＧを縦横に形成配列した模様を有する建築板ＢＢＬを提供するものである。
該低段部の巾δ1,δ2,δ3,δ4 は等しくδ＜Ｗ／２に設定されていることが好ましく、また該パネルは縦横ｍ行ｎ列に配列されており、ｍは１２以下でありかつｍ＋ｎは４以上であることが好ましい。更に各行各列において、目地溝の巾の合計は一定にされていることが好ましい。
また更に前記四種類のパネルＡ，Ｂ，Ｃ，Ｄのうちの１つが基本ブロックＢＬの４隅部分全てに配置されていることが好ましい。
【０００５】
【作用】
本発明ではδ1,δ2,δ3,δ4 をＷ／２以下の所定の値に設定するだけで四種類のパネルＡ，Ｂ，Ｃ，Ｄを設計することが出来る。δ1,δ2,δ3,δ4 を等しくδに設定すれば、δをＷ／２以下の所定の値に設定するだけで良いので、設計は更に簡単容易になる。
このような四種類のパネルＡ，Ｂ，Ｃ，Ｄをランダムに選んで縦横ｍ行ｎ列に配列して基本ブロックＢＬとし、該基本ブロックＢＬの複数個を縦横に配列して建築板ＢＢＬ表面の模様とする。このような模様では隣接するパネル間に低段部ＨＳ，ＶＳによる目地溝ＨＧ，ＶＧが形成されるが、該低段部ＨＳ，ＶＳの巾はＷ,δ1,δ2,δ3,δ4,Ｗ−δ1,Ｗ−δ2,Ｗ−δ3,Ｗ−δ4,０の１０種類あるから、目地溝ＨＧ，ＶＧの巾も上記低段部ＨＳ，ＶＳの種々な巾の組合わせになり、一見すると縦横の目地溝ＨＧ，ＶＧに若干のずれが生ずる。しかしδ1,δ2,δ3,δ4 はＷ／２より小さく設定されているから、このずれは大きいものではなく、縦横の目地溝ＨＧ，ＶＧは全体としては連通することゝなる。
上記基本ブロックＢＬのパネルの縦横ｍ行ｎ列の配列において、２≦ｍ≦４、２≦ｎ≦４とすればパネルの配列の設計が簡単に出来るが、ｍ＋ｎ≧４として一つの基本ブロックＢＬに四種類のパネルを全種類ランダムに選択して使用することが好ましい。また基本ブロックＢＬの四隅角部全てにパネルＡ，Ｂ，Ｃ，Ｄのうちの同種のパネル１つが配置されていれば、基本ブロックＢＬ境界線で建築板を切断して切り使い施工した場合に、左右の建築板の位置合わせが非常にし易くなる。いわゆる従来と同じ端部に基準目地溝を有した建築板ともなりうると云う作用効果を有する。
【０００６】
【発明の実施の形態】
本発明の一実施例を図１〜図３に示す。図１イには基準パネルＡ、ロ、ハ、ニにはそれぞれ変形パネルＢ，Ｃ，Ｄの平面図が示される。図２に示すように基準パネルＡの隣接する縦横二辺には基準巾Ｗの低段部ＨＳ、ＶＳが形成されている。また変形パネルＢの上辺には巾Ｗ−δ1 の低段部ＨＳ1 、下辺には巾δ1 の低段部ＨＳ2 、右辺には基準巾Ｗの低段部ＶＳが形成され、変形パネルＣの上辺には基準巾Ｗの低段部ＨＳ、右辺には巾Ｗ−δ2 の低段部ＶＳ1 、左辺には巾δ2 の低段部ＶＳ2 が形成され、変形パネルＤの上辺には巾Ｗ−δ3 の低段部ＨＳ2 、下辺には巾δ3 の低段部ＨＳ3 、右辺には巾Ｗ−δ4 の低段部ＶＳ3 、左辺には巾δ4 の低段部ＶＳ4 が形成されている。こゝに各パネルＡ，Ｂ，Ｃ，Ｄの横長Ｌ1 ＝１０１mm、縦長Ｌ2 ＝４５．５mm、Ｗ＝５mm、δ1 ＝δ2 ＝δ3 ＝δ4 ＝δ＝１mmである。
【０００７】
このようなパネルＡ，Ｂ，Ｃ，Ｄを図３に示すように１０行３列に配列して基本ブロックＢＬとする。この場合上下両端行（１行目と１０行目）の左右両端即ち基本ブロックＢＬの四隅には例えば基準パネルＡのような同種のパネルを配置し、図４に示すように上下両端行の左端の基準パネルＡの右辺同志を通る基準線Ｓｌ1 と、右端の基準パネルＡの左辺同志を通る基準線Ｓｌ2 とを想定する。
上記配列において、パネル間には縦横の目地溝Ｇが形成されるが、各パネル間に形成される目地溝Ｇの巾は下記の通りになる。
【０００８】
〔横目地溝ＨＧ〕
ＡＡ間  ＨＧ5 ＝５mm、ＡＢ間  ＨＧ4 ＝４mm、ＡＣ間  ＨＧ5 ＝５mm、ＡＤ間  ＨＧ4 ＝４mm、ＢＡ間  ＨＧ6 ＝６mm、ＢＢ間  ＨＧ5 ＝５mm、ＢＣ間  ＨＧ6 ＝６mm、ＢＤ間  ＨＧ5 ＝５mm、ＣＡ間  ＨＧ5 ＝５mm、ＣＢ間  ＨＧ4 ＝４mm、ＣＣ間  ＨＧ5 ＝５mm、ＣＤ間  ＨＧ4 ＝４mm、ＤＡ間  ＨＧ6 ＝６mm、ＤＢ間  ＨＧ5 ＝５mm、ＤＣ間  ＨＧ6 ＝６mm、ＤＤ間  ＨＧ5 ＝５mm。
【０００９】
〔縦目地溝ＶＧ〕
ＡＡ間  ＶＧ5 ＝５mm、ＡＢ間  ＶＧ5 ＝５mm、ＡＣ間  ＶＧ6 ＝６mm、ＡＤ間  ＶＧ6 ＝６mm、ＢＡ間  ＶＧ5 ＝５mm、ＢＢ間  ＶＧ5 ＝５mm、ＢＣ間  ＶＧ6 ＝６mm、ＢＤ間  ＶＧ6 ＝６mm、ＣＡ間  ＶＧ4 ＝４mm、ＣＢ間  ＶＧ4 ＝４mm、ＣＣ間  ＶＧ5 ＝５mm、ＣＤ間  ＶＧ5 ＝５mm、ＤＡ間  ＶＧ4 ＝４mm、ＤＢ間  ＶＧ4 ＝４mm、ＤＣ間  ＶＧ5 ＝５mm、ＤＤ間  ＶＧ5 ＝５mm。
【００１０】
上記のように横目地溝ＨＧには巾４mm（Ｗ−δ）のＨＧ4 、巾５mm（Ｗ）のＨＧ5 、巾６mm（Ｗ＋δ）のＨＧ6 の３種類、縦目地溝ＶＧにも巾４mm（Ｗ−δ）のＶＧ4 、巾５mm（Ｗ）のＶＧ5 、巾６mm（Ｗ＋δ）のＶＧ6 の３種類があり、上記基本ブロックＢＬにはこのような縦横それぞれ３種類の巾を有する目地溝ＨＧ、ＶＧがランダムに配置されることになる。
【００１１】
例えば上記基本ブロックＢＬの上部４行３列の拡大平面図を図４に示すと、縦横に配列される目地溝は巾の違いによって各行各列で若干のずれが存在する。本実施例の場合には各行各列の目地溝の巾の合計は各行については１５mm（１行目５＋５＋５＝１５mm、２行目１＋４＋５＋５＝１５mm、３行目５＋６＋４＝１５mm、４行目１＋５＋４＋５＝１５mm──）、各列については５０mm（１列目５＋４＋５＋６＋５＋５＋４＋５＋６＋５＝５０mm、２列目４＋６＋４＋５＋６＋４＋５＋６＋５＋４＋１＝５０mm、３列目５＋５＋５＋４＋５＋６＋５＋４＋５＋６＝５０mm）と一定にされ、かつδ＝１＜５（Ｗ／２）に設定されているから各行各列についての目地溝のずれは著しくならないようにされ（本実施例ではずれはδ＝１）、各目地溝は各行各列で連通状態となる。更に本実施例では各行で２列目および／または３列目のパネルの左辺を基準線Ｓｌ1 ，Ｓｌ2 に合わせている。
したがって建築板のカットに多少のずれがあったとしても、そのずれは上記各行各列の目地溝のずれの存在によって目立たなくなり、また規則的なゴバン目状の模様に比べて面白味のある外観となる。
【００１２】
このような基本ブロックＢＬを図５に示すように横に４個配列して建築板ＢＢＬ一枚の模様とする。上記建築板ＢＢＬは例えば木片、木質繊維束、バルプ等の木質補強材によってセメント板を補強した木質セメント板からなり、上記模様は該木質セメント板製造過程におけるエンボス工程によって付される。
【００１３】
上記実施例以外、δはＷ／２以下であればよく、例えばＷ＝５mmの時、１．５mm、２mm等に設定されてもよく、またパネルはｍ行ｎ列に配置されるが、設計を容易にするためにはｍはあまり大きく設定せず１２以下にすることが望ましい。そして一つの基本ブロックＢＬに使用するパネル数も３６個以内にとどめれば設計が更に容易になるが、該パネルは前記したように四種類あるので、４個以上使用しないと全種類使用出来ないことになる。なお、基本ブロックＢＬは本例では横に４個配列した例を示したが、これに限られることなく、また建築板の大きさを限定することなく、一般的には１５個程度まで設計上容易に用いられる。
【００１４】
【発明の効果】
本発明では建築板をカットする場合にそれほど高いカット精度は必要なく、したがって建築板の生産工程が合理化され、更に建築板の外観は適度なランダム性を有して面白味のあるものとなる。
【図面の簡単な説明】
図１〜図５は本発明の一実施例を示すものである。
【図１】イ、ロ、ハ、ニは四種類のパネルの平面図である。
【図２】基準パネルＡの斜視図
【図３】基本ブロックの平面図
【図４】基本ブロックの上部４行までの拡大平面図
【図５】建築板表面模様の平面図
【符号の説明】
Ａ，Ｂ，Ｃ，Ｄ          パネル
ＨＳ                    横低段部
ＶＳ                    縦低段部
ＢＬ                    基本ブロック
ＨＧ                    横目地溝
ＶＧ                    縦目地溝
ＢＢＬ                  建築板
Ｗ                      基準巾
【図１】
0003895550.tif 000002
【図２】
0003895550.tif 000003
【図３】
0003895550.tif 000004
【図４】
0003895550.tif 000005
【図５】
0003895550.tif 000006